(57)【要約】【課題】腰を屈める際に生じる腰部脊柱の屈曲を抑えることによって、腰にかかる負担を軽減する上半身衣類を提供する。【解決手段】前後身頃を編地により構成し、後身頃の裾に裏側に折り返して縫製した後ろ裾上げ部を設け、その後ろ裾上げ部裏側の上端を跨いで、テープ状編地を後ろ中心線に対して左右対称に配置し、後ろ裾上げ部及び後身頃に縫い付けることにより成し得る。さらに加えて、そのテープ状編地の上端と下端を跨いで、長方形又は正方形をなした２つの織地を、後ろ中心線に対して左右対称に夫々配置し、テープ状編地及び後身頃とテープ状編地及び後ろ裾上げ部とに、各々縫い付けることによって高度に成し得るものとなる。【選択図】図１９
2011168915.tif 000002
【特許請求の範囲】
【請求項１】
前後身頃が編地からなり、前記後身頃の裾に裏側に折り返され縫製された後ろ裾上げ部が備えられ、着衣の際における前記前後身頃の裾線の位置が、骨盤の上端付近より下側に設けられた上半身衣類において、
テープ状編地が、前記後ろ裾上げ部裏側の上端を跨ぎ、かつ後ろ中心線に対して左右対称に配置されて、該後ろ裾上げ部及び前記後身頃に縫い付けられた上半身衣類。
【請求項２】
前記テープ状編地より幅及び長さとも大きいテープ状編地が、前記の後ろ裾上げ部表側の上端を跨ぎ、かつ後ろ中心線に対して左右対称に配置されて、該後ろ裾上げ部及び前記後身頃に縫い付けられた請求項１に記載の上半身衣類。
【請求項３】
長方形又は正方形をなした２つの織地が、１つは前記テープ状編地の上端を跨ぎ、もう１つは前記テープ状編地の下端を跨ぎ、かつ後ろ中心線に対して左右対称に夫々配置されて、前者は該テープ状編地及び前記後身頃に、後者は該テープ状編地及び前記後ろ裾上げ部に、各々縫い付けられた請求項１又は請求項２に記載の上半身衣類。
【請求項４】
前記長方形又は正方形をなした２つの織地の跨ぎ位置が、１つは前記後身頃裏側のテープ状編地の上端であり、もう１つは前記後身頃表側のテープ状編地の下端である請求項３に記載の上半身衣類。
【発明の詳細な説明】
【技術分野】
【０００１】
本発明は、筒状の身体が腰部分で曲げられる際に生ずる背中側の引張力（体表面変化）に抗することによって、腰部脊柱の屈曲を抑え、腰にかかる負担を軽減する上半身衣類に関する。
【背景技術】
【０００２】
従来から、腰の安定や姿勢を良くすることを目的とし、本体生地を身体に密着させ、生地の編み立てや材質を部分的に変化させることによって、身体への締め付け力に強弱を付けたインナーシャツや、同じく本体生地を身体にフィットさせ、その本体生地に帯状の別体を設けることにより、緊締力に強弱を付けた上半身用の衣類が提案されてきた（特許文献１〜特許文献３参照）。
【０００３】
例えば、特許文献１においては、全体として伸縮性を有する素材によって成形され、生地の編み立てを部分的に変えることにより締め付け力に差を付けて、強及び弱の圧力領域を設け、着用者の腰回りを包囲する部分を強圧領域とすることで、腰を安定させ、正しい歩行姿勢へと導き、腰への負担軽減の効果があるものとしている。
【０００４】
特許文献２については、着用者の人体にフィットするように構成され、伸縮性を有する本体部と本体部よりも高い緊締力を有する帯状の緊締部とから成り、背側に設けた２本の緊締部が第４〜第５腰椎付近で交差し反対側の後裾まで延在することにより、骨盤周辺の筋肉がサポートされ、腰部を安定させることができるものとしている。
【０００５】
また、特許文献３も同様に、着用者の人体にフィットするように構成され、伸縮性を有する本体部と本体部の緊締力よりも強い緊締力を有する２つの帯状の緊締部とを備える。そして、２つの緊締部が有する緊締力によって、腹筋群、脊柱起立筋群、及び殿筋群を内方に押し付ける力を生じさせ、この３つの力の協働により、お腹を引き締め、骨盤及び脊柱を本来の位置に維持するように体幹を支えることができ、姿勢を整えることができるものとしている。
【０００６】
これら従来技術に共通したことは、編地の持つ伸縮性を利用し、身体にフィットさせることにより断面中心方向に働く伸縮力を生じさせ、その伸縮力に強弱を付けることによって、身体の動きに一定の影響を与えようとした点であった。
【先行技術文献】
【特許文献】
【０００７】
【特許文献１】特開２００４−２６３３６２号公報
【特許文献２】特開２００６−２９１３９９号公報
【特許文献３】特開２００８−１４４３０２号公報
【発明の開示】
【発明が解決しようとする課題】
【０００８】
人の骨格構造は、豊かな柔軟性を備えている一方、不安定な要素も抱えている。特にスポーツ時や荷物を持ち上げる動作時などの腰部脊柱には、上体からの荷重が集中するのにも係わらず、それを支える構造としては決して安定したものではなく、腰痛などの障害を抱える要因ともなっている。
【０００９】
そのため、荷物を持ち上げる動作時などでは、腰部脊柱をできるだけ屈曲させずに、股関節と膝関節とをその分多く曲げ、脊柱をまっすぐに保ちながら持ち上げることによって、腰部脊柱にかかる負担を軽くすることができるものとなり、極力このような姿勢をとることが求められるものである（図１〜図３参照）。
【００１０】
ところが、日常の生活において、常時そのように意識して動作を行うことは非常に困難となる。そのため、日常的に使用するにあたり、上体に圧迫感などを受けることがなく、荷物を持ち上げる動作時等において、腰部脊柱にかかる負担を少しでも軽くできるような上半身用衣類が望まれていた。
【００１１】
しかしながら、従来の技術においては、身体にフィットさせて全体的に締め付け力を付与するという構造であることから、その締め付け力は絶えず上半身の断面中心方向に働くこととなり、身体への圧迫感が免れないものとなっていた。また、その締め付け力に強弱を付けることから、その境界部分では身体の動きに影響を与えるか否かがはっきりと別れてしまうことになる。しかも、激しい身体動作を行うスポーツ時などでは、場合によってはその境界部分が大きくずれてしまい、かえって身体の運動性そのものが損なわれてしまうという、おそれが生じるものとなっていた。
【００１２】
そこで、本発明においてはこれらの点を鑑み、身体を圧迫することなく、また上体の運動性を損なうことなく、スポーツ時や荷物を持ち上げる動作時など、強く腰を曲げる運動を必要とする場合において、腰部脊柱の屈曲を抑えることにより、腰にかかる負担の軽減を、図ることを課題とするものである。
【００１３】
したがって、本発明の目的は、身体を圧迫することなく、また上体の運動性を損なうことなく、スポーツ時や荷物を持ち上げる動作時など、強く腰を曲げる運動を必要とする場合において、腰部脊柱の屈曲を抑えることにより、腰にかかる負担を軽減する上半身衣類を提供することにある。
【課題を解決するための手段】
【００１４】
本発明に係わる上半身衣類は、前後身頃が編地からなり、前記後身頃の裾に裏側に折り返され縫製された後ろ裾上げ部を備え、着衣の際における前記前後身頃の裾線の位置を、骨盤の上端付近より下側に設けるものとする。そして、テープ状編地を、前記後ろ裾上げ部裏側の上端を跨ぎ、かつ後ろ中心線に対して左右対称に配置し、該後ろ裾上げ部及び前記後身頃に縫い付けることにより成し得るものである。
【００１５】
筒状の身体が腰部分で曲げられた場合、例えば蛇腹になったストローを曲げる時と同様に、腹側では圧縮の力が、背中側では引張の力が働くことになり、その背中側の腰部分では、頭部側を凸とする湾曲性の体表面変化となって現れるものとなる。
【００１６】
このような身体の体表面変化に対応し、上体を動きやすくするため、織地からなる上半身衣類よりも伸縮性に富む編地からなる上半身衣類の方が適するものであり、特に本発明においては、編地の持つ伸張変形や曲げ変形といった機械的特性を利用するものであるため、前後身頃に編地を用いることとするものである。というのも、この編地の持つ機械的特性によって、身体が腰部分で曲げられたときの後身頃の編地には、身体の体表面変化からくる引張力が働くことになり、編地はその力に応じて衿側を凸とする湾曲性の伸張変形が起こるという特性を利用しようとするものであるからである。
【００１７】
そこで、本発明においては、この後身頃の編地に生ずる湾曲性の伸張変形に注目し、この湾曲方向とは逆の湾曲性の伸張変形を後ろ裾上げ部に生じさせることによって、腰部の屈曲に伴う体表面変化に抗する働きを生みだし、腰部脊柱の屈曲を抑えて、腰にかかる負担の軽減を図るものとするものである。
【００１８】
そのために、前記に示したように、後ろ裾上げ部の上端を跨いでテープ状編地を後ろ裾上げ部及び後身頃に縫い付けることにある。これにより、後ろ裾上げ部の裾線側の剛性がテープ状編地の存する部分より相対的に弱いものとなって、引張力を受けた場合、裾線側を凸とする湾曲性の伸張変形が生じやすくなり、衿側を凸とする湾曲性の伸張変形に抗する働きとなすものである。
【００１９】
また、テープ状編地の長さが後身頃の身幅より短い場合、テープ状編地が後身頃側に突出する形となり、後身頃裾部分の伸張性に差異が付くこととなる。つまり、縦方向に編地が伸張されると横方向に縮が生じるという編地の機械的特性を部分的に変調することになる。このことにより、後身頃の編地が引張力を受けた場合、後身頃裾部分のテープ状編地が突出した付近で、わずかながら編地の変形に硬直性が生じて、腰部脊柱の側屈を抑える働きをなし、腰に掛かる負担を軽くするよう作用するものである。
【００２０】
さらに、後ろ裾上げ部の裏側にテープ状編地を縫い付けることは、身体の周方向曲面の圧縮側にテープ状編地が位置することとなり、伸張する際の伸び量に余力を残すこととなって、歩行など軽い身体運動を行うときの抵抗とならないよう配慮したことによるものである。
【００２１】
本発明はさらに加え、前記のテープ状編地より幅及び長さとも大きいテープ状編地を、前記の後ろ裾上げ部表側の上端を跨ぎ、かつ後ろ中心線に対して左右対称に配置し、該後ろ裾上げ部及び前記後身頃に縫い付けることにより成し得るものである。
【００２２】
このように、後ろ裾上げ部の裏側と表側に大小のテープ状編地を入れ子状に取り付けることによって、各テープ状編地が相互に直接的に干渉することがなく各テープ状編地の変形が可能となる。そして、腰部脊柱の屈曲を抑える働きと共に、スポーツなど強い腰の動きを必要とする動作において、腰が後方へ逃げる現象を抑えることがでるものとなる。
【００２３】
本発明に係わる上半身衣類はさらに、前記２つの何れかの発明に加えて、長方形又は正方形をなした２つの織地を、１つは前記テープ状編地の上端を跨ぎ、もう１つは前記テープ状編地の下端を跨ぎ、かつ後ろ中心線に対して左右対称に夫々配置し、前者は該テープ状編地及び前記後身頃に、後者は該テープ状編地及び前記後ろ裾上げ部に、各々縫い付けることにより成し得るものである。
【００２４】
このようになすことで、織物の持つせん断変形（ずれ変形）特性をテープ状編地の上下の端部分に付与することとなって、骨盤を水平に保つよう働き、骨盤が傾くことによる腰部脊柱の不安定さを和らげ、腰にかかる負担を軽くするよう作用するものである。
【００２５】
特に、前記長方形又は正方形をなした２つの織地の跨ぎ位置を、１つは前記後身頃裏側のテープ状編地の上端とし、もう１つは前記後身頃表側のテープ状編地の下端とした場合は、複合的な作用が得られるものとして成し得ることができるものである。
【００２６】
すなわち、本発明の上半身衣類をこのようになすことで、骨盤を水平に保つ働きを持つ一方、腰部脊柱の屈曲を抑える働きと共に、スポーツなど強い腰の動きを必要とする動作において、腰が後方へ逃げる現象を抑えることがでるものとなる。さらに、骨盤の過度の前傾を抑える働きが得られ、スポーツ時などにおいて適度な前傾姿勢を保つことが可能となる。
【発明の効果】
【００２７】
本発明によると、身体に上半身衣類を密着させる必要がないことから身体への圧迫感はなく、製造においても前後身頃の編成に制限を加えることがない。また、ファッション性を損ねることもない。しかも、肌着、中衣、外衣などや、スポーツ用、ルーム用などといった用途を問わないことから、様々な上半身衣類として対応できるものである。
【００２８】
そのうえ、腰部脊柱の屈曲を抑える働きによって、上体の重心が骨盤の仙骨部分にしっかりと乗るようになり、歩行時などの身体運動において、振り出し脚側への重心移動がスムーズに行われるようになって、上体をより早く安定したポジションに導くという効果が得られるものである。
【００２９】
その結果、日常的にも腰の負担を少なくすることができ、スポーツ時や荷物を持ち上げる動作時など強く腰を曲げる運動を必要とする場合においも、腰部脊柱の屈曲を抑えることや骨盤の水平性を保つ働きにより、腰にかかる負担を軽減することができるものである。それゆえ、腰痛などの障害を予防する効果が期待されるものである。
【００３０】
さらには、後ろ中心線に対して左右対称性を有し、激しい運動のなかでも身体と上半身衣類が多少ずれたとしても、本発明の機能は低下することはない。そして、動作に制限を加えることなく自然な動きができ、腰部のブレを抑制する働きをなすことから、スポーツパフォーマンス向上の効果が見込まれるものとなる。
【図面の簡単な説明】
【００３１】
【図１】腰部脊柱の関節運動を表した図で、（Ａ）は骨盤と腰部脊柱を正面から、（Ｂ）は手前の寛骨を省いた骨盤と腰部脊柱を側面から見た図である。
【図２】骨盤の関節運動を表した図で、（Ａ）は骨盤と大腿骨の一部を正面から、（Ｂ）は骨盤と大腿骨の一部を側面から見た図である。
【図３】荷物の持ち上げ時の姿勢を側面から見た図で、（Ａ）は腰部脊柱を曲げた腰の負担が大きい姿勢を、（Ｂ）は腰部脊柱を真っ直ぐにした腰の負担が小さい姿勢を表したものである。
【図４】上体が曲げられる際に生じる引張と圧縮を表した模式図である。
【図５】平編の表目における編地の伸張方向を表した図である。
【図６】織地のせん断変形（ずれ変形）を表した図で、（Ａ）はせん断力が掛かっていない状態を、（Ｂ）はせん断変形が起きている状態を表したものである。
【図７】各実施例に共通する上半身衣類の一例を表した斜視図である。
【図８】各実施例に共通する上半身衣類の後ろ裾上げ部の状態を後身頃の裏側より表した図である。
【図９】各実施例に共通する上半身衣類の後ろ裾上げ部と身体との位置関係を表した図である。
【図１０】実施例１における上半身衣類を表したもので、（Ａ）は正面図、（Ｂ）は背面図である。
【図１１】図１０（Ｂ）における後身頃の裾部分を裏側より見た部分拡大図である。
【図１２】図１１のＹ−Ｙ部分断面拡大図である。
【図１３】実施例２における上半身衣類を背面から見た斜視図である。
【図１４】図１３における後身頃の裾部分を裏側より見た部分拡大図である。
【図１５】図１４のＸ−Ｘ部分断面拡大図である。
【図１６】実施例３における上半身衣類の背面図である。
【図１７】図１６における後身頃の裾部分を裏側より見た部分拡大図である。
【図１８】図１７のＹ−Ｙ部分断面拡大図である。
【図１９】実施例４における上半身衣類の背面図である。
【図２０】実施例４タイプ１における後身頃の裾部分を裏側より見た部分拡大図である。
【図２１】図２０のＹ−Ｙ部分断面拡大図である。
【図２２】実施例４タイプ２における後身頃の裾部分を裏側より見た部分拡大図である。
【図２３】図２２のＹ−Ｙ部分断面拡大図である。
【図２４】実施例４タイプ３における後身頃の裾部分を裏側より見た部分拡大図である。
【図２５】図２４のＹ−Ｙ部分断面拡大図である。
【図２６】図２４のＸ−Ｘ部分断面拡大図である。
【図２７】実施例４タイプ４における後身頃の裾部分を裏側より見た部分拡大図である。
【図２８】図２７のＹ−Ｙ部分断面拡大図である。
【図２９】実施例５における上半身衣類の背面図である。
【図３０】図２９における後身頃の裾部分を裏側より見た部分拡大図である。
【図３１】図２９のＹ−Ｙ部分断面拡大図である。
【発明を実施するための形態】
【００３２】
以下、図１〜図３１を用いて本発明の上半身衣類を実施するための最良の形態について説明していくものとし、始めに各実施例の共通する項目について、図５〜図９を主に用いて説明するものとする。
【００３３】
まず本発明での上半身衣類０１とは、アンダーシャツ、ティーシャツ、ランニングシャツ、タンクトップ、キャミソール、タートルネックシャツ、ポロシャツ、スウェットパーカ、スポーツ用インナーウェア・アウター、トレーニングシャツなどを指すものであるが、これらの名称にとらわれるものではない。また、肌着・中衣・外衣の用途やスポーツ用・インナールーム用といった用途も問わない。さらに、衿０５の形状はラウンドネック、Ｖネック、ハイネック、ポロカラー、スタンドカラー、フード付きなど何れでもよく、袖０６についてもノースリーブ、セットインスリーブ、ラグランスリーブ、半袖、七分袖、長袖など形状に制限はない。
【００３４】
前後身頃０２，０３は編地からなるものであるが、編地は図５で示すように、機械または手編みにより連続した糸を曲げてループをつくり、そのループをくぐり合わせて生地にしたもので、横方向にループを連結した緯（よこ）編と、たて方向にループを連結した経（たて）編とに大別される。図５は緯編のループの連結状態と伸張方向を示したもので、横方向ｍあるいは縦方向ｎに大きな伸縮性を有する構造となっている。
【００３５】
緯編には筒状に編む丸編と平らな生地に編む横編とがあり、丸形編機と平形編機とに分類される編機によって作られる。そして、編地の組織には平編（天竺）、リブ編（ゴム編）、及びパール編と呼ばれる３つの基本となる組織と、この基本組織に両面、タック、ウェルト、目移し等の編み方を組み合わせた多くの変化組織とがある。また、経編は、編機によりトリコット編、ラッシェル編、ミラニーズ編などがあり、一重の基本組織と二重の変化組織に分類され、それぞれデンビー編・アトラス編・コード編がある。
【００３６】
本発明に用いる前後身頃０２，０３の編地は、これら緯編、経編の何れの編み方であってもよいものであり、各々の用途に合わせて適宜選択すればよいものとする。例えば、ティーシャツであれば平編を、ポロシャツであれば平編にタック編を加えた変化組織の鹿の子を、アンダーウエアであればダブルデンビー編を選択することが一例として挙げられる。また、前後身頃０２，０３を上半身に密着させる必要はないが、伸縮性に富む編地を用いて身体にフィットさせても差し支えない。
【００３７】
さらに、編地を構成する糸についても、紡績糸、フィラメント糸、複合糸等の分類の他、綿、麻、絹、毛等の動植物の天然繊維からなるもの、レーヨン、キュプラ等の再生繊維・アセテート、トリアセテート等の半合成繊維・ナイロン、ポリエステル、アクリル、ポリウレタン等の合成繊維の化学繊維からなるもの、綿とポリエステル、羊毛とレーヨンとアクリル、といったように二者混、三者混など異種の繊維を混用してなるもの等があるが、糸の種類、太さ、撚り合わせ数等による制限はない。したがって、各用途に合わせて編地に適する糸を用いればよいものである。
【００３８】
前後身頃０２，０３の成形は、反物状にしたジャージーを裁断して縫い合わせたものでよく、前後身頃０２，０３を脇線０ａで縫い合わせすればよいが、縫い合わせが前後身頃０２，０３側の何れかに偏っていてもよい。また、前後身頃０２，０３の間に脇身頃５４が縫い合わされていてもよい。さらに、丸編機による筒状の編地をそのまま使ってもよく、その場合の前後身頃０２，０３の境界は、図７に示すように編地を二等分する脇線０ａとするものとする。また、熱処理などによる無縫製の加工によって前後身頃０２，０３を成形しても構わず、ガーメンントレングス機による成形編地を用いてもよい。その他、附属の服飾資材を含め、上半身衣類０１の製造方法は一般に適用されている方法を採用すればよい。
【００３９】
そして、図８に示すように、後身頃０３の裾に裏側に折り返され縫製された後ろ裾上げ部０８が備えられる。縫製方法は、手縫いによる普通まつり、流しまつり、奥まつり等の各種まつり縫いの他、ミシン縫製による本縫い、単環縫い、二重環縫い、縁かがり縫い、扁平縫い等から適宜選択すればよい。また、縫い糸については一般に使用されている糸を各用途に合わせて用いればよいものである。そして、後ろ裾上げ部０８の幅は、少なくとも５ｍｍ程度以上を必要とし、できれば１ｃｍ〜５ｃｍ程度の範囲とするのがよいものであり、好ましくは１．５ｃｍ〜３．５ｃｍ程度の範囲がよいものとする。
【００４０】
このように、後身頃０３の裾を折り返して後ろ裾上げ部０８を形成すことによって、後身頃０３の編地と後ろ裾上げ部０８の編地が同一の編地で構成されることとなり、この編地内に衿０５側と裾線０８側の相反する湾曲変形を生じさせることで、編地の伸張変形を部分的に抑える働きをなすものである。また、編地を裏側に折り返すことで、編地の端が身体を囲む周方向の曲げ圧縮側となり、表側に折り返すよりは、後ろ裾上げ部０８の周方向の伸びを低く抑えることができるものとなる。
【００４１】
さらに、着衣の際における前後身頃０２，０３の裾線０７ｂ，０８ｂを骨盤の上端ｈ付近より下側に設けることとする（図９参照）。なぜならば、図４で示したように、筒状の身体が曲げられた際には引張Ｔと圧縮Ｃの力が働くこととなり、引張側となる腰部分の皮膚の伸びは１５％〜２５％に及ぶものとなる。そして、本発明の基本となる思想は、この引張力による腰部の体表面変化を利用することにあるからである。
【００４２】
また、前後身頃０２，０３の裾線０７ｂ，０８ｂの下限については、運動性等を考えると大腿部ｊの中間部分より上方に裾線０７ｂ，０８ｂを設けるのがよく、できれば臀溝ｉより上に位置するのが好ましい。但し、当然ながら身体の背丈及び総丈には個体差があり、スラックス等を履く場合は、多少長くても股部分までまくり上げられ、効果もある程度維持されることから、下限については厳密に制限を設ける必要はない。ちなみに一般的な上半身衣類０１の参考値としては、日本人男性のＬ寸の身丈で７０ｃｍ前後〜８０ｃｍ前後が１つの目安となろう。
【実施例１】
【００４３】
次ぎに、図１０〜図１２を主に用いて実施例１について説明していくものとする。図１０で示すように、本実施例の上半身衣類１１は綿６０％・ポリエステル４０％の紡績糸による平編の半袖Ｔシャツであり、前身頃１２と後身頃１３は脇線で縫製されている。そして、図１１及び図１２で明らかなように、後身頃１３の後ろ裾上げ部１８（幅３ｃｍ）裏側の上端１８ａを跨いでテープ状編地１Ｋｉが縫い付けられている。そして、テープ状編地１Ｋｉは前後身頃１２，１３の共布を用いている。
【００４４】
本実施例のテープ状編地１Ｋｉは、平編の生地をテープ状にカットし、その四辺の端処理のために上下及び左右の端を内側に折り曲げて、表からカットラインが見えないように縫い付けられている。そして、縫い付け位置は図１１で判るように後ろ中心線１ｂに対して左右対称であり、後ろ裾上げ部上端１８ａより少し上側に偏って跨ぐ位置に取り付けられている。後ろ裾上げ部上端１８ａを跨ぐ位置は、テープ状編地の上下端がそれぞれ後身頃と後ろ裾上げ部に縫い付けられればよいもので、裾上げ部上端１８ａラインをセンターとしても、上下何れかに偏っていても差し支えない。
【００４５】
テープ状編地１Ｋｉは、前記共通項目で説明した緯編、経編の何れの編み方でも構わないが、目移し柄や縄目柄といった大柄の編地は避け、編地をテープ状にしても編み目が一様に連続するものが好ましい。また、編地をテープ状にカットする場合バイアスカットは避け、コースｋ・ウェールｌが幅又は長さ方向となるようにカットすることが望ましく、カットした生地もき裂、欠き、凹凸がない矩形とするのが望ましい。さらに、後身頃１３と共布の編地であっても別の編地を用いてもよく、編み立ての段階でテープ状にしたニットテープを用いてもよい。加えて、テープ状編地１Ｋｉが二枚重ねの構成であっても構わない。
【００４６】
テープ状編地１Ｋｉの幅は裾線１８ｂを超えてしまわないよう後ろ裾上げ部１８の幅を考慮して、前記日本人男性の身丈を参考とした平編Ｔシャツを前提とする場合には、５ｍｍ程度〜８ｃｍ程度までに納めるようにし、好ましくは１ｃｍ程度〜４ｃｍ程度にするのがよい。また、長さは後ろ裾上げ部１８の周方向長さを限度とし、少なくとも２ｃｍ程度以上あった方がよい。厚さについては生地として使える程度であればよいが、極端に薄いもの及び厚いものは用いない方が好ましい。本実施例では、幅２．２ｃｍ長さ３０ｃｍのテープ状編地１Ｋｉを用いている。
【００４７】
テープ状編地１Ｋｉの後ろ裾上げ部１８及び後身頃１３への縫い付け方法は、手縫いによるかがり縫い等の他、ミシン縫製による本縫い、単環縫い、二重環縫い等の方法を用いればよいものとし、本実施例では、２本糸の二重環縫いを用いている。また、縫い糸については一般に使用されている糸を各用途に合わせて用いればよいもので、前後身頃０２，０３に使用した糸で差し支えない。
【００４８】
上記のようにテープ状編地１Ｋｉを矩形にカットすることや、コースｋ・ウェールｌが幅又は長さ方向となるようにすること、及び後ろ中心線１ｂに対して左右対称に配置することは、身体運動の左右対称性を確保する目的ではあるが、本発明の上半身衣類１１は精密な機械でなく、編地についてもその構造から歪みやすいものであり、多少の誤差があっても直ちに効果が得られないということではない。したがって、テープ状編地１Ｋｉの成形及び縫い付け等において、誤差が数ｃｍにもなると問題となるが、ある程度の歪みや誤差は許容されるものである。以下の実施例についても同様とする。
【００４９】
テープ状編地１Ｋｉのさらなる作用としては、編地によって方向は異なるが、図５の平編では横方向（コースｋ方向）に伸びやすく、これをテープ状編地１Ｋｉの長さ方向として、後ろ裾上げ部１８裏側の上端１８ａを跨ぎ、かつ後ろ中心線１ｂに対して左右対称に配置し、後ろ裾上げ部１８及び後身頃１３に縫い付けることによって、テープ状編地１Ｋｉが後ろ裾上げ部１８から伸張力を受ける場合、後ろ裾上げ部１８周辺の生地を後ろ中心線１ｂに対して垂直方向の伸びへと誘導しやすくする。つまり、後ろ裾上げ部１８周辺の斜め方向の伸張を抑える役目をなし、骨盤ａから腰部脊柱ｄにかけての内外屈ＰＳ１，ＰＳ２及び側屈ＳＳを抑える働きをなすものである。
【００５０】
以上のテープ状編地１Ｋｉの各仕様などについては、以下の各実施例においても適用されるものとする。
【実施例２】
【００５１】
次ぎに、図１３〜図１５を主に用いて実施例２について説明していくものとする。図１３で示すように、本実施例の上半身衣類２１は綿１００％鹿の子の半袖ポロシャツである。ポロシャツの両脇の裾にサイドベンツが設けられ、後身頃２３の裾線２８ｂは前身頃２２の裾線２７ｂと比べ下側に位置している。つまり、後身頃２３の身丈が前身頃２２より長くなっていることを示す。そして、図１４及び図１５で明らかなように、テープ状編地２Ｋｉ（幅１．２ｃｍのニットテープ）が後ろ裾上げ部２８裏側の上端２８ａを跨ぎ、後身頃２３幅のほぼいっぱいに配置され、後ろ裾上げ部２８及び後身頃２３に縫い付けられている。
【００５２】
サイドベンツが有ることによって、股関節ｆの屈曲が行われやすくなる。そして、後身頃２３の身幅のほぼいっぱいにテープ状編地２Ｋｉが配置されることによって、骨盤ａから腰部脊柱ｄにかけての内外屈ＰＳ１，ＰＳ２及び側屈ＳＳを抑える働きが増すものとなり、ゴルフやテニス等のスポーツに適するものとなる。
【実施例３】
【００５３】
次ぎに、図１６〜図１８を主に用いて実施例３について説明していくものとする。図１６の上半身衣類３１は長袖のハイネックシャツであり、前及び後身頃３３は綿１００％の両面編の生地が用いられているものとなっている。そして、図１７及び図１８で示すように、２つのテープ状編地３Ｋｉ，３Ｋｏ（ニットテープ）が後ろ裾上げ部３８裏側の上端３８ａと表側の上端３８ａを跨ぎ、かつ後ろ中心線３ｂに対して左右対称に配置され、後ろ裾上げ部３８及び後身頃３３に縫い付けられている。さらに、表側のテープ状編地３Ｋｏの大きさは幅２．４ｃｍ長さ２０ｃｍで、裏側のテープ状編地３Ｋｉの大きさ幅１．６ｃｍ長さ１２ｃｍより幅及び長さとも大きいものとなっている。
【００５４】
このように構成することで、後身頃３３の裾部分３８ｂの伸び剛性が強くなり、腰の後方への逃げを防ぐ働きをなし、腰をしっかりと落とす動作が必要なスキーや野球などのスポーツに適するものとなる。
【実施例４】
【００５５】
次ぎに、図１９〜図２８を主に用いて実施例４について説明していくものとする。本実施例の上半身衣類４１は図１９で示すノースリーブシャツであり、前及び後身頃４３は渦流方式による綿７０％とポリエステル３０％の紡績糸を使用した筒状のフライス編が用いられている。従って、図７で示したように、身頃を２等分する左右の脇線０ａでもって前及び後身頃４３が区分されるものとなる。また、上半身衣類４１のサイズを小さくする等の場合、筒状のフライス編をカットソーにて用いればよいものとする。そして、図２０〜図２８では４つのパターンが示されている。すなわち、テープ状編地４Ｋｉと２つの織地（４Ｗｉ，４Ｗｊ，４Ｗｏ，又は４Ｗｐのうち）の組み合わせ位置の違いによるバリエーションを示したものである。
【００５６】
１つめのパターンは図２０及び図２１で、２つの織地４Ｗｉ，４Ｗｊ（幅３ｃｍ長さ８ｃｍ，幅４．５ｃｍ長さ４ｃｍ）がそれぞれ２つ折りになって、テープ状編地４Ｋｉ（幅２ｃｍ長さ１２ｃｍ）と後身頃４３又は後ろ裾上げ部４８との間に挿入される状態で、テープ状編地４Ｋｉの上端４Ｋａと下端４Ｋｂを跨ぎ、かつ後ろ中心線４ｂに対して左右対称に夫々配置され、各々の織地４Ｗｉ，４Ｗｊの端部がテープ状編地４Ｋｉ及び後身頃４３と、テープ状編地４Ｋｉ及び後ろ裾上げ部４８とに縫い付けられている。
【００５７】
２つめのパターンは図２２及び図２３で、上記１つめのパターンとの違いは、テープ状編地４Ｋｉ下端側４Ｋｂの織地４Ｗｊ（幅２．４ｃｍ長さ６ｃｍ）がストレートカットになっており、テープ状編地４Ｋｉの外側に縫い付けられていることにある。３つめのパターンは図２４〜図２６で、２つめのパターンとの違いは、テープ状編地４Ｋｉ下端側４Ｋｂの織地４Ｗｐ（幅１．８ｃｍ長さ８ｃｍ）が両サイド折りとなっており、後ろ裾上げ部４８の表面側に縫い付けられていることである。最後のパターンは図２７及び図２８で、３つめのパターンとの違いは、テープ状編地４Ｋｉ上端４Ｋａ側の織地４Ｗｏ（幅１．８ｃｍ長さ５．４ｃｍ）が両サイド折りで、後ろ裾上げ部４８の表面側に縫い付けられていることである。
【００５８】
織地（４Ｗｉ，４Ｗｊ，４Ｗｏ，及び４Ｗｐ）はたて糸とよこ糸を直角に交錯して生地にしたもので、その１つの特性は、たて糸とよこ糸の交差角が直角から変位するせん断変形（ずれ変形）の現象が生ずることである。本実施例によれば、この織地（４Ｗｉ，４Ｗｊ，４Ｗｏ，及び４Ｗｐ）の持つ特性をテープ状編地４Ｋｉの上下の端部４Ｋａ，４Ｋｂに付与することとなって、テープ編地４Ｋｉに捻れ変形が現れやすくなり、骨盤の両腸骨おける上下差がわずかに付きやすくなって、骨盤の傾きを抑える働きが得られるものとなる。
【００５９】
したがって、タイトで目の詰まった織地はなるべくなら避け、本発明に用いる織地（４Ｗｉ，４Ｗｊ，４Ｗｏ，及び４Ｗｐ）は、せん断変形（ずれ変形）が生じやすいものを用いるようにする。織地（４Ｗｉ，４Ｗｊ，４Ｗｏ，及び４Ｗｐ）の組織の種類は一重組織、重ね組織の何れの組織であっても構わないが、一重組織の三原組織（平織，綾織，朱子織）、変化組織、特別組織、ジャカード組織等とするのが好ましい。また、織地（４Ｗｉ，４Ｗｊ，４Ｗｏ，及び４Ｗｐ）を構成する糸は、前記の編地の項に記載した糸と同様なものとする。
【００６０】
また、織地（４Ｗｉ，４Ｗｊ，４Ｗｏ，及び４Ｗｐ）の形状は長方形又は正方形をなすこととするものである。なぜならば、せん断変形を起こしやすくするためであり、身体動作の左右対称性を確保するためである。また、織地（４Ｗｉ，４Ｗｊ，４Ｗｏ，及び４Ｗｐ）をカットする場合バイアスカットは避け、たて糸及びよこ糸が各辺に平行となるようにカットすることが望ましい。さらには、織地（４Ｗｉ，４Ｗｊ，４Ｗｏ，及び４Ｗｐ）の幅又は長さが、本発明に適合するよう予め織りの段階で、細巾に織った織地をカットして使用してもよい。
【００６１】
織地（４Ｗｉ，４Ｗｊ，４Ｗｏ，及び４Ｗｐ）は端がほつれやすいため縫い付け時の端部処理として、四辺をヒートカットするか折り曲げるかして縫い付ければよいが、織りの段階でシャトル式織機やニードル式織機等の織機にて耳を設けて細巾のテープ状に織るか、合成繊維の糸を用いレピア式織機やエアージェット織機等の織機にてヒートカットの耳を設けて、２辺のみカットする方法が望ましい。そうすると、縫い付け時の端部処理はカット側の両サイドを折り曲げるか、２つ折りにすれば事足りることとなる。また、両サイドの折り代は揃える方がよく、２つ折りも半分折りにするのが好ましいが、厳密に同寸法でなければならないということではない。
【００６２】
本実施例の１つめのパターンでは、上端４Ｋａ側の織地４Ｗｉに朱子織のサテンを、下端４Ｋｂ側の織地４Ｗｊに綿の平織を、それぞれ２つ折りにして用いており、２つめのパターンでは下端４Ｋｂ側の織地４Ｗｊに綾織をストレートとして用い、３つめのパターンでは下端４Ｋｂ側の織地４Ｗｐに平織のジャカードを両サイド折りとして用い、最後のパターンでは上端４Ｋａ側の織地４Ｗｏに平織のジャカードを、下端４Ｋｂ側の織地４Ｗｐに朱子織のジャカードをそれぞれ両サイド折りとして用いている。
【００６３】
織地（４Ｗｉ，４Ｗｊ，４Ｗｏ，及び４Ｗｐ）の大きさは、幅が８ｍｍ程度〜８ｃｍ程度までとし、好ましくは１．５ｃｍ程度〜５ｃｍ程度までがよい。長さはストレートタイプにするか２つ折りタイプにするかによって大きく異なるが、１．５ｃｍ程度〜３０ｃｍ程度までとし、好ましくはストレートタイプで２ｃｍ程度〜１０ｃｍ程度、２つ折りタイプで４ｃｍ〜２０ｃｍ程度までがよい。
【００６４】
織地（４Ｗｉ，４Ｗｊ，４Ｗｏ，又は４Ｗｐ）の上下の組み合わせは、用途に合わせて組織の種類や大きさの大小を組み合わせればよい。例えば、本実施例の１つめのパターンでは歩行などの軽運動等に、２つめと３つめのパターンは運動量が多いスポーツ等に、４つめのパターンは長時間腰を屈める作業等に、適するものである。また、織地（４Ｗｉ，４Ｗｊ，４Ｗｏ，又は４Ｗｐ）のせん断変形に差し障りがない程度に、織地（４Ｗｉ，４Ｗｊ，４Ｗｏ，又は４Ｗｐ）の表面にシール印刷や熱転写印刷等によるプリントを施してもよく、織地（４Ｗｉ，４Ｗｊ，４Ｗｏ，又は４Ｗｐ）を自他商品の識別機能を付した織ネームとしてもよい。例えば、３つめのパターンにおいて、上端４Ｋａ側の２つ折りにしたサテンの織地４Ｗｉの表面に、繊維製品の取扱表示記号などをプリントし、下端４Ｋｂ側のジャカードの織地４Ｗｐに、ブランドネーム等を織り柄にて表示する織ネームとしての機能を持たせた、組み合わせにするとよい。
【００６５】
織地（４Ｗｉ，４Ｗｊ，４Ｗｏ，又は４Ｗｐ）の縫い付け方法は、ミシン縫製による本縫い、単環縫い、二重環縫い等の方法を用いればよいものとし、本実施例ではストレートタイプと両サイド折りが２本糸の本縫いを用いており、２つ折りのタイプはテープ状編地４Ｋｉの縫い付けに準じ２本糸の二重環縫いを用いている。また、縫い糸については一般に使用されている糸を各用途に合わせて用いればよいもので、前及び後身頃４３やテープ状編地４Ｋｉに使用した糸で差し支えない。
【００６６】
本実施例についても、テープ状編地４Ｋｉ及び織地（４Ｗｉ，４Ｗｊ，４Ｗｏ，又は４Ｗｐ）は後ろ中心線に対して左右対称に配置されており、身体動作の左右対称性を保つ目的を持つものである。そして、実施例１でも指摘したように、本発明の上半身衣類４１は精密な機械でなく、編地程ではないにしても織地も歪みやすいものであるがゆえ、実施例１と同様に多少の誤差があっても直ちに効果が得られないということではないので、テープ状編地４Ｋｉ及び織地（４Ｗｉ，４Ｗｊ，４Ｗｏ，又は４Ｗｐ）の成形及び縫い付け等において、誤差が数ｃｍにもなると問題となるが、ある程度の歪みや誤差は許容されるものである。以下の実施例についても適用されるものである。
【００６７】
本実施例の上半身衣類４１によれば、左右の脚部に多少の上下差が付いた場合でも骨盤ａの傾斜を抑えることができ、それに伴って腰部脊柱ｄの側屈ＳＳも抑えられることとなり、腰を屈める際の腰部脊柱ｄの屈曲ＳＦ抑制と相俟って、骨盤ａと腰部脊柱ｄとが直線的になる姿勢を維持しやすくなり、腰にかかる負担を軽くすることができるものとなる。
【実施例５】
【００６８】
次ぎに、図２９〜図３１を主に用いて実施例５について説明していくものとする。本実施例の上半身衣類５１は図２９で示すようにランニングシャツであり、前及び後身頃５３はポリエステル１００％で脇見頃５４が備えられている。そして、図３０及び図３１に示すように、テープ状編地５Ｋｉ，５Ｋｏ（幅１．６ｃｍ長さ８ｃｍ，幅２．４ｃｍ長さ１２ｃｍ）が後ろ裾上げ部５８の裏側と表側の上端５８ａを跨いで２つ縫い付けられ、裏側のテープ状編地５Ｋｉの上端５Ｋａを跨いで２つ折りの織地５Ｗｉ（幅３ｃｍ，長さ８ｃｍ）が、表側のテープ状編地５Ｋｏの下端５Ｋｂを跨いで２つ折りの織地５Ｗｐ（幅４．５ｃｍ長さ４ｃｍ）が、それぞれテープ状編地５Ｋｉ，５Ｋｏと後身頃５３又は後ろ裾上げ部５８との間に位置して縫い付けられている。
【００６９】
表側及び裏側のテープ状編地５Ｋｉ，５Ｋｏは後身頃５３の共布とし、裏側の織地５Ｗｉは朱子織サテンを用い、表側の織地５Ｗｐは綾織ジャカードを用いている。各テープ状編地５Ｋｉ，５Ｋｏと各織地５Ｗｉ，５Ｗｐの縫いつけ方法は、まず裏側のテープ５Ｋｉと織地５Ｗｉを縫い付け、次ぎに裏側の織地５Ｗｉを折り曲げてから表側のテープ状編地５Ｋｏと織地５Ｗｐを縫い付ければよいものである。その他のテープ状編地５Ｋｉ，５Ｋｏ及び織地５Ｗｉ，５Ｗｐの仕様等については、上記実施例に準ずるものとする。
【００７０】
このような構成にすることで、各テープ状編地５Ｋｉ，５Ｋｏと各織地５Ｗｉ，５Ｗｐの働きは維持しつつも、より複雑な動きの対応ができ、柔軟な動作が行えるようになることから、体操やランニングなどの運動に適するものとなる。
【産業上の利用可能性】
【００７１】
本発明によれば、自然に近い状態で腰部脊柱の屈曲を抑え骨盤の傾きを抑えることができるものとなり、そのことによって日常的に、腰にかかる負担を軽くすることができるものとなる。その上、身体を圧迫することがなく、上体と衣類とが多少ずれても効果が得られることから、肌着の他、中衣及び外衣としても利用することができ、オフィス用、作業用、スポーツ用等といった用途の区別なく使用することができるものである。
【００７２】
さらには、スポーツパフォーマンスの向上が見込まれるものであり、腰痛などの障害の予防にも期待が持てるものである。したがって、本発明の上半身衣類が広く社会に提供されることによって、社会に対して多大なる貢献をなすことができるものである。
【符号の説明】
【００７３】
ａ  骨盤、ｂ  寛骨、ｃ  仙骨、ｄ  腰部脊柱、ｅ  腰椎、ｆ  股関節、ｇ  大腿骨
ＳＳ  脊柱側屈、ＳＦ  脊柱屈曲、  ＳＥ  脊柱伸展、ＳＦ  脊柱屈曲
ＰＳ１  骨盤外屈、ＰＳ２  骨盤内屈、ＰＥ  骨盤後傾、ＰＦ  骨盤前傾
ｈ  骨盤の上端、ｉ  臀溝、ｊ  大腿部
Ｔ  引張、Ｃ  圧縮、ｎ  中立軸
ｋ  コース、ｌ  ウェール、ｍ  横方向伸張、ｎ  縦方向伸張
ｏ  力の方向
０ａ  脇線
０ｂ，１ｂ，２ｂ，３ｂ，４ｂ，５ｂ  後ろ中心線
０１，１１，２１，３１，４１，５１  上半身衣類
０２，１２，２２  前身頃
０３，１３，２３，３３，４３，５３  後身頃
５４  脇身頃
０５，１５，２５，３５  衿
０６，１６，２６，３６  袖
０７，１７，２７  前裾上げ部
１７ａ  前裾上げ部の上端
０７ｂ，１７ｂ，２７ｂ  前身頃の裾線
０８，１８，２８，３８，４８，５８  後ろ裾上げ部
０８ａ，１８ａ，２８ａ，３８ａ，４８ａ，５８ａ  後ろ裾上げ部の上端
０８ｂ，１８ｂ，２８ｂ，３８ｂ，４８ｂ，５８ｂ  後身頃の裾線
１Ｋｉ，２Ｋｉ，３Ｋｉ，４Ｋｉ，５Ｋｉ  後ろ裾上げ部裏側のテープ状編地
３Ｋｏ，５Ｋｏ  後ろ裾上げ部表側のテープ状編地
４Ｋａ，５Ｋａ  テープ状編地の上端
４Ｋｂ，５Ｋｂ  テープ状編地の下端
４Ｗｉ，４Ｗｏ，５Ｗｉ  テープ状編地の上端を跨ぐ織地
４Ｗｊ，４Ｗｐ，５Ｗｐ  テープ状編地の下端を跨ぐ織地
【図１】
2011168915.tif 000003
【図２】
2011168915.tif 000004
【図３】
2011168915.tif 000005
【図４】
2011168915.tif 000006
【図５】
2011168915.tif 000007
【図６】
2011168915.tif 000008
【図７】
2011168915.tif 000009
【図８】
2011168915.tif 000010
【図９】
2011168915.tif 000011
【図１０】
2011168915.tif 000012
【図１１】
2011168915.tif 000013
【図１２】
2011168915.tif 000014
【図１３】
2011168915.tif 000015
【図１４】
2011168915.tif 000016
【図１５】
2011168915.tif 000017
【図１６】
2011168915.tif 000018
【図１７】
2011168915.tif 000019
【図１８】
2011168915.tif 000020
【図１９】
2011168915.tif 000021
【図２０】
2011168915.tif 000022
【図２１】
2011168915.tif 000023
【図２２】
2011168915.tif 000024
【図２３】
2011168915.tif 000025
【図２４】
2011168915.tif 000026
【図２５】
2011168915.tif 000027
【図２６】
2011168915.tif 000028
【図２７】
2011168915.tif 000029
【図２８】
2011168915.tif 000030
【図２９】
2011168915.tif 000031
【図３０】
2011168915.tif 000032
【図３１】
2011168915.tif 000033